(57)【要約】【課題】パッシブタグを確実に動作可能な電波を発信するアンテナの設置構造を提供すること。【解決手段】探索領域Ｒ１１〜Ｒ１３の中央部Ｏ１〜Ｏ３の斜め上方に設けられたアンテナＡ１〜Ａ３が、探索領域Ｒ１１〜Ｒ１３に向けて設置され、斜め下方に位置する探索領域Ｒ１１〜Ｒ１３にＵＨＦ帯域の電波を放射する。探索領域Ｒ１１〜Ｒ１３に存在するパッシブタグＰの上方が遮蔽されていたり、パッシブタグＰの指向性がその斜め上方に位置するアンテナＡ１〜Ａ３の方向に向いていなかったりしたとしても、探索領域Ｒ１１〜Ｒ１３内のパッシブタグＰが確実に動作する。【選択図】図１
2009055383.tif 000002
【特許請求の範囲】
【請求項１】
探索領域に存在するパッシブタグの動作に必要な電界強度の電波を発信し、かつ、前記パッシブタグから返信された電波を受信するアンテナの設置構造であって、
前記アンテナは、前記探索領域の中央部の斜め上方に、前記探索領域に向けて設置されることを特徴とするアンテナの設置構造。
【請求項２】
複数の探索領域にそれぞれ存在するパッシブタグの動作に必要な電界強度の電波を発信し、かつ、前記パッシブタグから返信された電波を受信するアンテナの設置構造であって、
前記探索領域ごとに対応して設置される前記各アンテナは、対応する前記探索領域の中央部の斜め上方に、前記探索領域に向けて設置されることを特徴とするアンテナの設置構造。
【請求項３】
複数の探索領域にそれぞれ存在するパッシブタグの動作に必要な電界強度の電波を発信し、かつ、前記パッシブタグから返信された電波を受信するアンテナの設置構造であって、
前記探索領域ごとに対応して設置される前記各アンテナは、対応する前記探索領域の中央部の斜め上方に、前記探索領域に向けて設置され、
いずれか１つの前記探索領域に前記パッシブタグが存在するか、あるいは、前記探索領域のいずれにも前記パッシブタグが存在しないかに基づいて、前記パッシブタグの存在を推定可能にした推定領域を前記探索領域外に備えることを特徴とするアンテナの設置構造。
【請求項４】
前記アンテナは、最大放射方向が前記探索領域の中央部に向くようにしたことを特徴とする請求項１から請求項３までのいずれか１項に記載のアンテナの設置構造。
【請求項５】
前記最大放射方向と鉛直方向とのなす角は、０度よりも大きく３０度以下の大きさであることを特徴とする請求項４に記載のアンテナの設置構造。
【請求項６】
前記アンテナは、前記探索領域の上方に位置する天井に設置されることを特徴とする請求項１から請求項５までのいずれか１項に記載のアンテナの設置構造。
【請求項７】
複数の前記アンテナを、１箇所の前記探索領域の中央部の斜め上方に囲むように設置し、それぞれが対応する前記探索領域に向くようにしたことを特徴とする請求項１から請求項６までのいずれか１項に記載のアンテナの設置構造。
【発明の詳細な説明】
【技術分野】
【０００１】
本発明は、室内などの空間で人が所持するパッシブタグを動作させるのに有用なアンテナの設置構造に関する。
【背景技術】
【０００２】
近年、ＲＦＩＤ（Radio Frequency IDentification）技術では、通信距離の長いＶＨＦ、ＵＨＦ、ＳＨＦおよびＥＨＦ帯域の電波等を利用して、パッシブタグを動作させる技術が注目を集めている。そのパッシブタグと通信させるアンテナの設置構造としては、例えば、アンテナを天井に取り付け、室内のパッシブタグを動作させるようにしたものが知られている（例えば、特許文献１等参照）。この特許文献１には、アンテナが回転して室内を走査し、人が所持するタグと通信する技術が記載されている。
【特許文献１】特開２００５−１９０２９９号公報
【発明の開示】
【発明が解決しようとする課題】
【０００３】
しかし、例えば、人がパッシブタグを身につけている場合などでは、パッシブタグを所持する人自体が遮蔽物になって、パッシブタグと通信することができないことがある。そのため、人が所持するパッシブタグと確実に通信可能なアンテナの設置構造の開発が急務となっている。
【０００４】
そこで、本発明は、パッシブタグを確実に動作可能な電波を発信するアンテナの設置構造を提供することを目的とする。
【課題を解決するための手段】
【０００５】
前記課題を解決するための手段として、本発明の請求項１は、探索領域に存在するパッシブタグの動作に必要な電界強度の電波を発信し、かつ、前記パッシブタグから返信された電波を受信するアンテナの設置構造であって、前記アンテナは、前記探索領域の中央部の斜め上方に、前記探索領域に向けて設置される構成とした。
【０００６】
この請求項１のアンテナの設置構造では、探索領域の中央部の斜め上方に設けられたアンテナが、探索領域に向けて設置されているため、斜め下方に位置する探索領域に電波を放射する。したがって、探索領域に存在するパッシブタグの上方が遮蔽されていたり、パッシブタグの指向性がその斜め上方に位置するアンテナの方向に向いていなかったりしたとしても、探索領域内のパッシブタグを確実に動作可能な電波を発信させることができる。
【０００７】
本発明の請求項２は、複数の探索領域にそれぞれ存在するパッシブタグの動作に必要な電界強度の電波を発信し、かつ、前記パッシブタグから返信された電波を受信するアンテナの設置構造であって、前記探索領域ごとに対応して設置される前記各アンテナは、対応する前記探索領域の中央部の斜め上方に、前記探索領域に向けて設置される構成とした。
【０００８】
この請求項２のアンテナの設置構造では、各探索領域の中央部の斜め上方に設けられた各アンテナが、探索領域に向けて設置されているため、斜め下方に位置する各探索領域に電波を放射する。したがって、各探索領域に存在する各パッシブタグの上方が遮蔽されていたり、各パッシブタグの指向性を示すメインローブがその斜め上方に位置する各アンテナの方向に向いていなかったりしたとしても、探索領域内のパッシブタグを確実に動作可能な電波を発信させることができる。
【０００９】
本発明の請求項３は、複数の探索領域にそれぞれ存在するパッシブタグの動作に必要な電界強度の電波を発信し、かつ、前記パッシブタグから返信された電波を受信するアンテナの設置構造であって、前記探索領域ごとに対応して設置される前記各アンテナは、対応する前記探索領域の中央部の斜め上方に、前記探索領域に向けて設置され、いずれか１つの前記探索領域に前記パッシブタグが存在するか、あるいは、前記探索領域のいずれにも前記パッシブタグが存在しないかに基づいて、前記パッシブタグの存在を推定可能にした推定領域を前記探索領域外に備えた構成とした。
【００１０】
この請求項３のアンテナの設置構造では、探索領域ごとに対応して設置される前記各アンテナは、対応する前記探索領域の中央部の斜め上方に、前記探索領域に向けて設置されているため、斜め下方に位置する各探索領域に電波を放射し、各探索領域に存在するパッシブタグの上方が遮蔽されていたり、パッシブタグの指向性を示すメインローブがその斜め上方に位置するアンテナの方向に向いていなかったりしたとしても、探索領域内のパッシブタグを確実に動作可能な電波を発信させることができる。また、いずれか１つの前記探索領域に前記パッシブタグが存在するか、あるいは、前記探索領域のいずれにも前記パッシブタグが存在しないかに基づいて、探索領域外に位置する推定領域内のパッシブタグの存在の推定が可能になる。
【００１１】
本発明の請求項４は、請求項１から請求項３までのいずれか１項において、前記アンテナは、最大放射方向が前記探索領域の中央部に向くようにした構成とした。
【００１２】
この請求項４のアンテナの設置構造では、アンテナの斜め下方に位置する探索領域に存在するパッシブタグが効率よく電波を受信することができ、かつ、アンテナがパッシブタグからの電波を効率よく受信することができる。
【００１３】
本発明の請求項５は、請求項４において、前記最大放射方向と鉛直方向とのなす角は、０度よりも大きく３０度以下の大きさである構成とした。
【００１４】
この請求項５のアンテナの設置構造では、パッシブタグを内蔵した書類を把持した人がその書類を移動させるような行動パターンを考慮しても、探索領域に存在するパッシブタグを動作させることができる。
【００１５】
本発明の請求項６は、請求項１から請求項５までのいずれか１項において、前記アンテナは、前記探索領域の上方に位置する天井に設置される構成とした。
【００１６】
この請求項６のアンテナの設置構造では、アンテナを天井に設置するため、室内においてアンテナを目立たせないので、室内の美感を損ねることなく、アンテナを設置することができる。
【００１７】
本発明の請求項７は、請求項１から請求項６までのいずれか１項において、複数の前記アンテナを、１箇所の前記探索領域の中央部の斜め上方に囲むように設置し、それぞれが対応する前記探索領域に向く構成とした。
【００１８】
この請求項７のアンテナの設置構造では、探索領域のいずれの面が遮蔽されたとしても、アンテナの設置面側が遮蔽されていない限り、パッシブタグを動作させることができる。
【発明の効果】
【００１９】
したがって、本発明によれば、パッシブタグを確実に動作可能な電波を発信するアンテナの設置構造を提供することができる。
【発明を実施するための最良の形態】
【００２０】
以下、本発明の実施形態について図面を参照して説明する。アンテナの設置構造の一例について説明する。図１は、実施形態の室内におけるアンテナの設置構造についての説明図である。図１（ａ）は、天井の上方から室内を見下ろした想像図である。図１（ｂ）は、図１（ａ）のＸ−Ｘ線断面図である。なお、アンテナから発信される電波の種類に制限はないが、本実施形態では、ＵＨＦ帯域の電波を想定する。
【００２１】
図１（ａ）の二点鎖線の円で示すように、図示しない室内に設定した特定の領域１には、パッシブタグＰの存在の有無を判定するための探索領域Ｒ１１〜Ｒ１３が、設定されている。探索領域Ｒ１１は、天井Ｃ（図１（ｂ））に設置されるアンテナＡ１から発信されるＵＨＦ帯域の電波の受信可能領域Ｒ１（図１（ｂ））に含まれる領域である。つまり、アンテナＡ１は、探索領域Ｒ１１が形成されるようなＵＨＦ帯域の電波を発信可能な機能・構造やパッシブタグＰからの微弱なＵＨＦ帯域の電波を受信可能な機能・構造を備えている。
【００２２】
同様に、探索領域Ｒ１２は、天井Ｃ（図１（ｂ））に設置されるアンテナＡ２から発信されるＵＨＦ帯域の電波の受信可能領域Ｒ２（図１（ｂ））に含まれる領域である。つまり、アンテナＡ２は、探索領域Ｒ１２が形成されるようなＵＨＦ帯域の電波を発信可能な機能・構造やパッシブタグＰからの微弱なＵＨＦ帯域の電波を受信可能な機能・構造を備えている。また、探索領域Ｒ１３は、天井Ｃ（図１（ｂ））に設置されるアンテナＡ３から発信されるＵＨＦ帯域の電波の受信可能領域Ｒ３（図１（ｂ））に含まれる領域である。つまり、アンテナＡ３は、探索領域Ｒ１３が形成されるようなＵＨＦ帯域の電波を発信可能な機能・構造やパッシブタグＰからの微弱なＵＨＦ帯域の電波を受信可能な機能・構造を備えている。
【００２３】
探索領域Ｒ１１内には、椅子Ｓ１が配置されている。探索領域Ｒ１２内には、椅子Ｓ２が配置されている。探索領域Ｒ１３内には、椅子Ｓ３が配置されている。つまり、探索領域Ｒ１１は、主に、椅子Ｓ１に着席している人Ｈが所持するパッシブタグＰの存在の有無を判定するための領域として用いられる。探索領域Ｒ１２は、主に、椅子Ｓ２に着席している人Ｈが所持するパッシブタグＰの存在の有無を判定するための領域として用いられる。探索領域Ｒ１３は、主に、椅子Ｓ３に着席している人Ｈが所持するパッシブタグＰの存在の有無を判定するための領域として用いられる。
【００２４】
また、特定の領域１内には、探索領域Ｒ１１〜Ｒ１３とは別に、推定領域Ｒ１４が設定されている。この推定領域Ｒ１４は、アンテナＡ１〜Ａ３のいずれのＵＨＦ帯域の電波も届かない範囲に設定されている。この推定領域Ｒ１４内には、椅子Ｓ４が配置されている。つまり、推定領域Ｒ１４は、椅子Ｓ４に着席する人Ｈの存在の有無を推定可能な範囲である。なお、椅子Ｓ１〜Ｓ４は、テーブルＴを囲むように略ロ字状に配置されている。ここで、ＵＨＦ帯域の電波が届かないとは、微弱な電波として届いたとしても、パッシブタグＰの動作のために必要な電界強度に満たなければよいという程度の意味を含むものとする。
【００２５】
例えば、アンテナＡ１〜Ａ３のいずれかがパッシブタグＰを感知した状態（受信電圧が高レベルである状態）を維持している場合には、人Ｈが椅子Ｓ１〜Ｓ３のいずれかに着席したと推定することができ、アンテナＡ１〜Ａ３のいずれもがパッシブタグＰを感知しなくなった場合には、人Ｈが椅子Ｓ１〜Ｓ３のいずれにも着席していないと推定することができる。また、アンテナＡ１〜Ａ３のいずれかがパッシブタグＰを感知した後、短時間でアンテナＡ１〜Ａ３のいずれもがパッシブタグＰを感知しなくなった場合には、人Ｈが推定領域Ｒ１４内の椅子Ｓ４に着席していると推定することができる。
【００２６】
より具体的に説明すると、図１中の矢印に示すように、人Ｈ０が左側から特定の領域１内に入って、椅子Ｓ４に着席する場合には、テーブルＴが障害物となって、探索領域Ｒ１３と探索領域Ｒ１２との間の往来を阻害しているので、人Ｈ０は、例えば、探索領域Ｒ１１および探索領域Ｒ１３を通って推定領域Ｒ１４まで移動することになるが、まず、アンテナＡ１が探索領域Ｒ１１内でパッシブタグＰ０を検知し、その後短時間でアンテナＡ１がパッシブタグＰ０を検知しなくなるともに、アンテナＡ３が探索領域Ｒ１３内でパッシブタグＰ０を検知し、その後短時間のうちに、アンテナＡ３が探索領域Ｒ１３内でパッシブタグＰ０を検知しなくなるので、このような検知パターンを見極めることで、人Ｈ０が推定領域Ｒ１４内の椅子Ｓ４に着席していると推定することができる。なお、アンテナＡ３が探索領域Ｒ１３内でパッシブタグＰ０を検知しなくなった後で、アンテナＡ１が再びパッシブタグＰ０を検知した場合には、推定領域Ｒ１４内の椅子Ｓ４に着席していないと推定することができる。
【００２７】
したがって、受信電圧が高レベルである状態が設定時間（例えば１秒間）以上継続しているか否かをアンテナＡ１〜Ａ３ごとに判定する手順と、設定時間以上継続している場合に、アンテナＡ１〜Ａ３に対応する探索領域Ｒ１１〜Ｒ１３にパッシブタグＰが存在すると推定し、高レベルになった後、設定時間継続する前に低レベルになり、かつ、アンテナＡ１〜Ａ３の受信電圧が再び高レベルにならなかったときに、人Ｈ０が推定領域Ｒ１４内の椅子Ｓ４に着席していると推定する手順と、をコンピュータに実行させることで、人Ｈ０の存在を推定することができる。
【００２８】
ところで、この実施形態では、探索領域Ｒ１１〜Ｒ１３および推定領域Ｒ１４は、人Ｈが椅子Ｓ１〜Ｓ４のいずれかに着席したときに、パッシブタグＰを読み取り可能な高さに設定する。なお、図１（ａ）の受信可能領域Ｒ１等の二点鎖線円は、図１（ｂ）の探索領域Ｒ１１等を示している。この探索領域Ｒ１１等は、例えば、人ＨがパッシブタグＰの内蔵されたカードを胸元に取り付ける場合、あるいは、書類などに貼付されたパッシブタグＰを手に持つ場合に、読み取り可能な高さであって、パッシブタグＰが存在する確率が高い領域に定義すればよい。
【００２９】
実際には、図１（ｂ）に示すように、パッシブタグＰが受信可能領域Ｒ１等に存在すれば、パッシブタグＰは動作するため、探索領域Ｒ１１の範囲にパッシブタグＰが存在しているとは限らない。しかし、受信可能領域Ｒ１等に椅子Ｓ１等が設置されていることから、通常、人Ｈは着席行為を行うと考えられるため、探索領域Ｒ１１にパッシブタグＰが存在する確率が高いと考えられる。そのため、パッシブタグＰがアンテナＡ１によって動作する場合には、パッシブタグＰが受信可能領域Ｒ１内の探索領域Ｒ１１に存在していると考えて差し支えない。
【００３０】
このように、探索領域Ｒ１１等というのは、パッシブタグＰの存在確率の高い範囲に設定される。つまり、人ＨがパッシブタグＰを所持している場合に、それらの各領域に椅子Ｓ１〜Ｓ４が設置されていれば、この実施形態のように、着席している可能性が高い。
【００３１】
ところで、アンテナＡ１〜Ａ３は、それぞれ探索領域Ｒ１１〜Ｒ１３の中央部Ｏ１〜Ｏ３のそれぞれから斜め上方に位置している。例えば、アンテナＡ１についてみると、図１（ｂ）に示すように、アンテナＡ１の中央部Ｏ１から斜め上方（水平面に対して（９０°−θ））に位置している。なお、θは、アンテナＡ１を通る鉛直線と、最大放射方向Ｂ（中央部Ｏ１方向）を指し示す直線とのなす角度である。
【００３２】
また、特に、θは、不等式０＜θ≦３０°を満たすことが好ましい。なお、θが０よりも大きいとは、アンテナＡ１の真下を除く意味である。アンテナＡ１の真下の場合、アンテナＡ１とパッシブタグＰとの間に人Ｈが介在して、ＵＨＦ帯域の電波が遮られてしまう可能性があるから、その可能性を低くするという意味である。一方、θが３０°以下とは、人Ｈの想定される行動を考慮しても、アンテナＡ１等から放射されるＵＨＦ帯域の電波によって、パッシブタグＰが充分に動作可能な電力を受信可能な範囲である。ただし、３０°の値は、実験等によって求められるものであり、３１°等の値を積極的に除く意味ではない。
【００３３】
なお、図１（ａ）では、探索領域Ｒ１１〜Ｒ１３を便宜上、二点鎖線の円として示したが、斜めに配置したアンテナＡ１の電波放射範囲（パッシブタグＰの受信可能な電界強度の範囲）は、楕円形状になる。そのため、例えば、電界強度の測定結果と読み取りの関係から、高さが３ｍのとき、アンテナＡ１等を平坦に設置した場合より、よう角θを３０°にして設置した方がパッシブタグＰの読み取り領域（探索領域Ｒ１１）が縦長に広くなる。そして、このようにθが３０°の場合には、パッシブタグＰの持ち方にほとんど依存しない実験結果が得られることを確認した。
【００３４】
以上のように、人Ｈの想定される行動を考慮して不等式０＜θ≦３０°を満たすようにアンテナＡ１〜Ａ３が設置されるため、例えば、パッシブタグＰが書類に貼付されている場合に、人Ｈが書類を読む際に書類の角度をいろいろと変えたとしても、アンテナＡ１〜Ａ３は、探索領域Ｒ１〜Ｒ３内のパッシブタグＰを動作させることができる。
【００３５】
なお、アンテナＡ１〜Ａ３は、図示しないケーブルによって、プリアンプ（不図示）、発信機（不図示）、受信機（不図示）などに接続されている。発信機や受信機は、パッシブタグ認識装置（不図示）に接続されている。このパッシブタグ認識装置は、記憶部（不図示）に記憶されたプログラムが処理部（不図示）によって実行される、一般的なコンピュータ（不図示）によって構成されるものとする。
【００３６】
このパッシブタグ認識装置は、アンテナＡ１〜Ａ３に、パッシブタグＰが受信可能なＵＨＦ帯域の電波を発信させる。そして、アンテナＡ１〜Ａ３で受信したパッシブタグＰからのタグＩＤを乗せた応答信号を受信すると、パッシブタグ認識装置は、そのタグＩＤを認識して、呼び出し対象のタグＩＤか否かを判定することができるようになっている。
【００３７】
なお、パッシブタグ認識装置はアンテナＡ１〜Ａ３によって受信されたタグＩＤを含む応答信号を解読してディスプレイ（不図示）に表示させるようにすれば、オペレータが対象のパッシブタグＰを所持する人Ｈの所在を判断することが可能である。
【００３８】
以上、説明したように、実施形態のアンテナＡ１〜Ａ３の設置構造によれば、探索領域Ｒ１１〜Ｒ１３の中央部Ｏ１〜Ｏ３の斜め上方に設けられたアンテナＡ１〜Ａ３が、探索領域Ｒ１１〜Ｒ１３にその指向性を向けて設置され、斜め下方に位置する探索領域Ｒ１１〜Ｒ１３にＵＨＦ帯域の電波を放射する。そのため、探索領域Ｒ１１〜Ｒ１３に存在するパッシブタグＰの上方が遮蔽されていたり、パッシブタグＰの指向性がその斜め上方に位置するアンテナＡ１〜Ａ３の方向に向いていなかったりしたとしても、探索領域Ｒ１１〜Ｒ１３内のパッシブタグＰを確実に動作させることができる。
【００３９】
次に、図２〜図４を参照して、変形例１〜４について説明する。
［変形例１］
図２（ａ）に示すように、多人数が横に（図２（ａ）中、左右に）並んで着席可能で、かつ、背中合わせに両側に（図２（ａ）中、上下に）着席可能なように、椅子Ｓ５および椅子Ｓ６が、その背もたれ同士を合わせて配置される。この場合には、アンテナＡ４が探索領域Ｒ５１に電波を放射可能に天井に設置され、アンテナＡ５が探索領域Ｒ５２に電波を放射可能に天井に設置される。そのため、奥行き方向の両側で（図２（ａ）中、上下側で）、着席する人Ｈ１，Ｈ２が所持するパッシブタグＰ１，Ｐ２を動作させることができる。
【００４０】
［変形例２］
図２（ｂ）に示すように、多人数が横に（図２（ｂ）中、左右に）並んで着席可能で、かつ、両側に（図２（ｂ）中、上下に）着席可能なように、椅子（長椅子）Ｓ７が配置される。この場合には、アンテナＡ４が探索領域Ｒ５３に電波を放射可能に天井に設置され、アンテナＡ５がアンテナＡ４とは反対側から探索領域Ｒ５３に電波を放射可能に天井に設置される。そのため、奥行き方向の両側で（図２（ｂ）中、上下側で）、着席する人Ｈ１，Ｈ２が所持するパッシブタグＰ１，Ｐ２を動作させることができる。
【００４１】
なお、このように、２つのアンテナＡ４，Ａ５が互いに反対側から同一の探索領域Ｒ５３に電波を放射可能な場合、２つのアンテナＡ４，Ａ５を対向させて配置すると呼ぶこととする。したがって、「対向させて」とは、数学的に点対称な配置に限らない。例えば、アンテナＡ５を図２（ｂ）中、右側ではなく左側に配置するようにしてもよい。
【００４２】
ところで、変形例１および変形例２において、アンテナＡ４，Ａ５は、前記した場合と同じように、０＜θ≦３０°の条件を満たすものとする。また、アンテナＡ４，Ａ５は、椅子Ｓ５，Ｓ６，Ｓ７の幅方向（図２（ａ）（ｂ）中、左右方向）を示す線に対して平行な線とのなす角で表される角度ψ４，ψ５だけ、椅子Ｓ５，Ｓ６側に鉛直線に対して傾けて配置されている。角度ψ４，ψ５は、椅子Ｓ５，Ｓ６，Ｓ７の幅方向の長さ等に応じて設定されるが、４人がけの場合には角度ψ４，ψ５を約１０°に設定すればよい。
【００４３】
次に、変形例３および変形例４として、人が起立している場合について説明する。
［変形例３］
図３に示すように、室１Ａ内には、壁に絵画Ｅが展示され、人Ｈ３が絵画Ｅの前に留まって立ったまま鑑賞している。この場合、絵画Ｅを鑑賞している人Ｈ３が所持するパッシブタグＰ３を動作させるためには、探索領域Ｒ６が絵画Ｅの前に設定される必要がある。そのため、天井ＣＡに設置されたアンテナＡ６が、探索領域Ｒ６の注目領域Ｒ６１の中央部Ｏ６よりも斜め上方に位置している。アンテナＡ６を通る鉛直線と、最大放射方向Ｂ６を指し示す直線との角度θは、前記した角度θと同一である。なお、図３では、探索領域Ｒ６の外側に、絵画Ｅが位置しているが、探索領域Ｒ６の内側に位置するようにしてもよい。
【００４４】
［変形例４］
図４に示すように、室１Ｂ内には、床に設置された台Ｄ上に壷Ｊが展示され、人Ｈ４が壷Ｊの前に留まって立ったまま鑑賞している。この場合、壷Ｊを鑑賞している人Ｈ４が所持するパッシブタグＰ４を動作させるためには、探索領域Ｒ７が壷Ｊの前に設定される必要がある。この変形例３では、アンテナＡ７が、天井ＣＢに設置されるのではなく、床に設置されたポールＬの上部に取り付けられている。つまり、アンテナＡ７が、探索領域Ｒ７の注目領域Ｒ７１の中央部Ｏ７よりも斜め上方に位置している。アンテナＡ７を通る鉛直線と、最大放射方向Ｂ７を指し示す直線との角度θは、前記した角度θと同一である。なお、図４では、探索領域Ｒ７の内側に、壷Ｊが位置しているが、探索領域Ｒ７の外側に位置するようにしてもよい。
【００４５】
なお、変形例３や変形例４のように、高い確率で人が起立したまま立ち止まるような場所としては、美術館、ホテル、駅やエントランスなどがある。また、スーパーマーケットのような場所の商品棚の前に探索領域や推定領域を設定するようにしてもよい。これらの場合は、閲覧者や購入層の平均的な身長に基づく高さに、パッシブタグの存在確率の高い探索領域や推定領域を設定すればよい。ちなみに、探索領域を素通りするような場合には、対応するアンテナの受信電圧が高レベルに変化後、設定時間（例えば１秒間）経過前に高レベルから低レベルに変化することになる。
【００４６】
また、前記実施形態では、アンテナを室内に設置し、探索領域や推定領域を室内に設定した場合を説明したが、室外であっても構わない。この場合、変形例４のようにポールを用いてアンテナを設置すればよい。
【００４７】
また、前記実施形態では、探索領域の中央部の斜め上方に位置するようにアンテナを設置する場合を説明したが、床面に設置するようにしてもよい。この場合は、角度θだけ斜め下方に位置するようにアンテナを設置すればよい。
【００４８】
なお、前記実施形態では、４脚の椅子が略ロ字状に配置された場合を説明したが、その数は、これに限らない。例えば、１，２，３，５脚等でもよい。また、テーブルＴを囲むように設置されていなくてもよい。例えば、室内の壁面に沿って設置されていてもよい。具体的には、廊下のような細長い空間の壁面に沿って椅子を設置しているような場合である。このような配置例としては、例えば、病院等の廊下の待合場所が考えられる。
【００４９】
図５に、病院内の廊下におけるアンテナの設置構造の一例を示す。病院Ｋ内には、処置室Ｍの脇に廊下Ｌが配置され、廊下Ｌには、壁Ｗ１の壁面に沿って、椅子Ｓ８１，Ｓ８２，Ｓ８３，Ｓ８４が設置されている。探索領域Ｒ８１は、椅子Ｓ８１を含むように設定されており、探索領域Ｒ８２は、椅子Ｓ８２を含むように設定されている。同様に、探索領域Ｒ８３は、椅子Ｓ８３を含むように設定されている。
【００５０】
また、アンテナＡ８１は、電波の放射方向を探索領域Ｒ８１に向けて、探索領域Ｒ８１の斜め上方（処置室Ｍを隔てる壁Ｗ２側の天井面）に設置されており、アンテナＡ８２は、電波の放射方向を探索領域Ｒ８２に向けて、探索領域Ｒ８２の斜め上方（処置室Ｍを隔てる壁Ｗ２側の天井面）に設置されており、アンテナＡ８３は、電波の放射方向を探索領域Ｒ８３に向けて、探索領域Ｒ８３の斜め上方（処置室Ｍを隔てる壁Ｗ２側の天井面）に設置されている。
【００５１】
推定領域Ｒ８４は、処置室Ｍの入出口Ｍ１の正面の椅子Ｓ８４を含むように設定されている。推定領域Ｒ８４には、アンテナＡ８１，Ａ８２，Ａ８３のいずれからも電波が届かないので、処置室Ｍへの電波の影響を軽減させることができる。
【００５２】
また、室内は、建物を前提にして説明したが、乗り物であってもよい。また、室内に設定される探索領域としては、遊戯施設内における遊戯機器を含むように設定してもよい。
【００５３】
また、前記実施形態では、角度θの付与構造については、特に限定しなかったが、メインローブがその探索領域に向いているのであれば、どのような構造であってもよい。例えば、アンテナの形状によって決定されるメインローブの場合、アンテナ自体の設置角度を調整して設置すればよい。また、アレーアンテナの場合には、電気的にメインローブの方向を調節できるので、設置角度は天井面に平行に取り付けるようにすればよい。
【００５４】
また、前記実施形態では、パッシブタグＰが人Ｈに所持される場合を説明したが、人以外であってもよい。例えば、犬、猫等の動物、自転車や自動車等の乗り物であってもよい。自転車等の乗り物の場合、例えば、駐輪場や駐車場にアンテナを設置しておくことによって、駐輪・駐車場所を推定することが可能である。
【図面の簡単な説明】
【００５５】
【図１】実施形態の室内におけるアンテナの設置構造についての説明図である。（ａ）は、天井の上方から室内を見下ろした想像図である。（ｂ）は、（ａ）のＸ−Ｘ線断面図である。
【図２】（ａ）は実施形態のアンテナの設置構造の変形例１を示す説明図である。（ｂ）は実施形態のアンテナの設置構造の変形例２を示す説明図である。
【図３】実施形態のアンテナの設置構造の変形例３を示す説明図である。
【図４】実施形態のアンテナの設置構造の変形例４を示す説明図である。
【図５】実施形態の室内（病院）の廊下におけるアンテナの設置構造についての説明図である。
【符号の説明】
【００５６】
１，１Ａ，１Ｂ    室
Ａ１，Ａ２，Ａ３    アンテナ
Ｏ１，Ｏ２，Ｏ３    中央部
Ｐ                パッシブタグ
Ｒ１１，Ｒ１２，Ｒ１３    探索領域
Ｒ１４              推定領域
【図１】
2009055383.tif 000003
【図２】
2009055383.tif 000004
【図３】
2009055383.tif 000005
【図４】
2009055383.tif 000006
【図５】
2009055383.tif 000007